(57)【特許請求の範囲】
【請求項１】
交流電路の絶縁状態を監視すべく接地線に流れる漏洩電流を検出する絶縁監視装置の絶縁検出レベルを試験する絶縁監視装置の警報検出試験装置であって、
試験信号を発生する試験信号発生手段と、
接地線に連結され、該接地線を流れる漏洩電流および前記試験信号発生手段からの試験信号を検出する変流器と、
接地線に連結され、該接地線を流れる漏洩電流成分のみをフィルタ手段で取り出し、この取り出した漏洩電流成分を増幅し、該漏洩電流にほぼ相当する抑圧電流を前記変流器に漏洩電流の流れる方向とは逆の方向に供給する抑圧手段と、
前記変流器に接続され、前記漏洩電流と前記抑圧電流との和の電流および前記試験信号を検出する検出手段と、
を有することを特徴とする絶縁監視装置の警報検出試験装置。
【発明の詳細な説明】
【０００１】
【発明の属する技術分野】
本発明は、交流電路の絶縁状態を監視すべく接地線に流れる漏洩電流を検出する絶縁監視装置の絶縁検出レベルを試験する絶縁監視装置の警報検出試験装置に関する。
【０００２】
【従来の技術】
従来、低圧電路の地絡検出、保護には地絡検出器や地絡保護継電器が使用されているが、これらの動作検出電流は一般に数１００ｍＡである。これらの試験は本来電路を停電して行っているが、停電時間の短縮や無停電化のために電路充電状態で行うことが要求されつつある。
【０００３】
また、電路充電状態では、対象電路の負荷状態により接地線に還流する漏れ電流が変動することが多く、警報検出レベルを精度良く判定することが困難になってきているが、地絡検出器や地絡保護継電器は動作検出レベルが数１００ｍＡと比較的大きいため、漏れ電流が多少変化しても、警報検出レベルに与える影響は比較的少なく、警報検出試験を行うことができるようになっている。
【０００４】
絶縁監視装置は、図２に示すように、接地線３１に変流器（ＺＣＴ）３３を連結し、この接地線３１に流れる漏洩電流Ｉ０を変流器（ＺＣＴ）３３を介して検出器３５に供給するようになっている。なお、漏洩電流Ｉ０は、第１のライン５１から漏洩する漏洩電流Ｉ１、第２のライン５２から漏洩する漏洩電流Ｉ２、第１の負荷５３から漏洩する漏洩電流Ｉ３、第２の負荷５４から漏洩する漏洩電流Ｉ４、第３の負荷５５から漏洩する漏洩電流Ｉ５の和（Ｉ０＝Ｉ１＋Ｉ２＋Ｉ３＋Ｉ４＋Ｉ５）である。
【０００５】
そして、警報検出レベルを試験するための警報検出試験装置は、同図に示すように、発振器３７、可変抵抗器３９、メータ４１からなる試験信号発生器で発生する試験信号を変流器（ＺＣＴ）３３を介して検出器３５に供給し、これにより該検出器３５が漏洩電流を所定の警報検出レベルで高精度に検出し得るかどうかを試験している。
【０００６】
なお、このような試験は、従来、図２においてスイッチ４２をオフにし、負荷に流れる漏洩電流の影響を取り除いて行っている。すなわち、絶縁監視装置は警報検出レベルが数１０ｍＡと低いために、漏れ電流が変動すると、この影響を受け、警報検出レベルを精度良く判定することが困難であるので、上述したようにスイッチ４２をオフにして行っている。
【０００７】
【発明が解決しようとする課題】
上述したように、従来の絶縁監視装置の警報検出試験装置は、スイッチ４２をオフにして、警報検出レベルの試験を行っているが、近年の停電時間の短縮化や無停電化の要求により、スイッチを入れたままの状態、すなわち電路充電状態で試験を行うことが要望されているが、この状態では負荷に変動して流れる漏洩電流の影響を受け、警報検出レベルを高精度に判定することが困難であるという問題がある。
【０００８】
本発明は、上記に鑑みてなされたもので、その目的とするところは、接地線に還流する漏洩電流に影響されることなく、絶縁検出レベルを高精度に判定し得る絶縁監視装置の警報検出試験装置を提供することにある。
【０００９】
【課題を解決するための手段】
上記目的を達成するため、請求項１記載の本発明は、交流電路の絶縁状態を監視すべく接地線に流れる漏洩電流を検出する絶縁監視装置の絶縁検出レベルを試験する絶縁監視装置の警報検出試験装置であって、試験信号を発生する試験信号発生手段と、接地線に連結され、該接地線を流れる漏洩電流および前記試験信号発生手段からの試験信号を検出する変流器と、接地線に連結され、該接地線を流れる漏洩電流成分のみをフィルタ手段で取り出し、この取り出した漏洩電流成分を増幅し、該漏洩電流にほぼ相当する抑圧電流を前記変流器に漏洩電流の流れる方向とは逆の方向に供給する抑圧手段と、前記変流器に接続され、前記漏洩電流と前記抑圧電流との和の電流および前記試験信号を検出する検出手段と、を有することを要旨とする。
【００１０】
請求項１記載の本発明にあっては、検出手段から見た接地線に還流する漏洩電流は抑圧電流との和の電流となるため所定の小さな値以下に低減することができ、これにより、接地線に還流する漏洩電流の変動の影響を受けることなく、絶縁検出レベルを高精度に判定することができる。
【００１１】
【発明の実施の形態】
以下、図面を用いて本発明の実施の形態について説明する。
【００１２】
図１は、本発明の一実施形態に係わる絶縁監視装置の警報検出試験装置の構成を示す回路図である。この警報検出試験装置は、発振器３７、可変抵抗器３９、メータ４１からなる試験信号発生器で発生する試験信号を変流器（ＺＣＴ）３３を介して検出器３５に供給するまでの回路構成は図２に示したものと同じであるが、この検出動作を前記スイッチ４２を閉じた電路充電状態で行うことができるべく漏洩電流の影響を除去するために、接地線３１に前記変流器（ＺＣＴ）３３とは別の変流器（ＺＣＴ）４５を設け、この変流器（ＺＣＴ）４５で接地線３１に流れる漏洩電流Ｉ０を検出し、この検出した漏洩電流Ｉ０を抑圧回路４３に供給している。
【００１３】
抑圧回路４３は、変流器（ＺＣＴ）４５からの漏洩電流Ｉｏ  を増幅し、それから変流器（ＺＣＴ）３３の周波数特性と同等の特性を有するフィルタによって漏洩電流成分のみを取り出し、この取り出した漏洩電流成分を増幅して、該漏洩電流にほぼ相当する抑圧電流（０．９９Ｉｏ  ）を漏洩電流の流れる方向とは逆の方向に変流器（ＺＣＴ）４５および変流器（ＺＣＴ）３３を介して供給し、これにより漏洩電流の影響を所定の小さな値以下に抑圧している。
【００１４】
今、抑圧回路４３の増幅度を１００と仮定すると、変流器（ＺＣＴ）３３の出力Ｉｘ  は、一次電流換算で次式のようになる。
【００１５】
Ｉｘ  ＝Ｉｂ  ／１００＝０．０１×Ｉｏ  
すなわち、検出器３５から見た接地線３１に還流する漏洩電流Ｉｏ  は百分の１（１／１００）となるため、負荷変動により漏洩電流Ｉｏ  の変動が生じたとしても、検出器３５に対する漏洩電流の影響は１／１００に抑圧されることになり、接地線に還流する漏洩電流の変動の影響を受けることなく、検出器３５は絶縁検出レベルを高精度に検出することができる。すなわち、絶縁監視装置が比較的小さな漏洩電流Ｉｏ  を検出するような場合でも、絶縁監視装置の警報検出試験装置は電路充電状態において、すなわちスイッチ４２を閉じた状態において漏洩電流の影響なく、警報検出レベルを高精度に判定することができる。
【００１８】
【発明の効果】
以上説明したように、本発明によれば、試験信号を発生する試験信号発生手段と、接地線に連結され、該接地線を流れる漏洩電流および前記試験信号発生手段からの試験信号を検出する変流器と、接地線に連結され、該接地線を流れる漏洩電流成分のみをフィルタ手段で取り出し、この取り出した漏洩電流成分を増幅し、該漏洩電流にほぼ相当する抑圧電流を前記変流器に漏洩電流の流れる方向とは逆の方向に供給する抑圧手段と、前記変流器に接続され、前記漏洩電流と前記抑圧電流との和の電流および前記試験信号を検出する検出手段とを有する構成としたので、検出手段から見た接地線に還流する漏洩電流は抑圧電流との和の電流となるため所定の小さな値以下に低減することができ、これにより、接地線に還流する漏洩電流の変動の影響を受けることなく、絶縁検出レベルを高精度に判定することができる。
【図面の簡単な説明】
【図１】本発明の一実施形態に係わる絶縁監視装置の警報検出試験装置の構成を示す回路図である。
【図２】従来の絶縁監視装置の警報検出試験装置の構成を示す回路図である。
【符号の説明】
３１  接地線
３３，４５  変流器（ＺＣＴ）
３５  検出器
３７  発振器
３９  可変抵抗器
４１  メータ
４３  抑圧回路
【図１】
0003602904.tif 000002
【図２】
0003602904.tif 000003